(57)【要約】【課題】表示装置において不要輻射を低減すること。【解決手段】ＬＣＤパネル２０は、第１の駆動領域２１及び第２の駆動領域２２の二つの領域に分割されている。そして、第１の駆動領域２１に設定する駆動信号は、ＬＣＤコントローラ４０の第１のＬＣＤ駆動信号発生部４２から第１のソースドライバ群３１を経由して供給される。同様に、第２の駆動領域２２に設定する駆動信号は、第２のＬＣＤ駆動信号発生部４４から第２のソースドライバ群３２を介して供給される。そして、第１及び第２のＬＣＤ駆動信号発生部４２，４４から第１及び第２のソースドライバ群３１，３２に駆動信号を伝送する伝送クロック周波数は、１５３．０ＭＨｚと１４８．５ＭＨｚと異なっている。【選択図】図１
2009115936.tif 000002
【特許請求の範囲】
【請求項１】
複数の駆動領域に分割された表示パネルの前記駆動領域の駆動素子に対して設定すべき駆動信号を、前記分割された駆動領域毎に異なる伝送クロック周波数で供給することを特徴とする駆動制御方法。
【請求項２】
前記駆動信号は、前記表示パネルに設けられ前記駆動素子に駆動信号を書き込むソースドライバに供給されることを特徴とする請求項１に記載の駆動制御方法。
【請求項３】
連続する二つの前記伝送クロック周波数により発生する不要輻射を合成したときの振幅が、合成前の不要輻射の振幅の最大値よりも小さくなるように、前記連続する二つの伝送クロック周波数が設定されることを特徴とする請求項１又は２に記載の駆動制御方法。
【請求項４】
表示パネルの画素に書き込む駆動信号を一時的に保持し、所定の制御信号により前記画素に駆動信号を書き込むソースドライバに対して前記駆動信号を出力する駆動制御装置であって、
前記ソースドライバは、前記表示パネルが分割してなる複数の駆動領域毎にグループを構成しており、
前記ソースドライバのグループ毎に、異なる伝送クロック周波数で前記駆動信号を出力する駆動信号発生部を有する
ことを特徴とする駆動制御装置。
【請求項５】
前記駆動信号発生部は、連続する二つの前記伝送クロック周波数により発生する不要輻射を合成したときの振幅が、合成前の不要輻射の振幅の最大値よりも小さくなるように、前記伝送クロック周波数で駆動信号を出力することを特徴とする請求項４に記載の駆動制御装置。
【請求項６】
マトリックス状に複数の画素が配され、前記複数の画素が第１〜第Ｎ（Ｎ：自然数）の駆動領域に分割された表示パネルと、
前記表示パネルの画素に駆動信号を書き込むソースドライバが、前記第１〜第Ｎの駆動領域毎対応した一群として構成される第１から第Ｎのドライバ群と、
前記第１から第Ｎのドライバ群のそれぞれに、異なる伝送クロック周波数で前記駆動信号を供給する駆動制御手段とを有する
ことを特徴とする表示装置。
【発明の詳細な説明】
【技術分野】
【０００１】
本発明は、駆動制御方法、駆動制御装置、及び表示装置に係り、特にマトリックス状に配置された表示パネルの画素を駆動する駆動制御方法や駆動制御装置及びそのような駆動制御装置を備える表示装置に関する。
【背景技術】
【０００２】
液晶表示装置やＰＤＰ表示装置などのアクティブマトリックス型表示装置にあって、映像を表示するために表示パネルの画素に書き込むべき駆動信号は、まず、駆動コントローラで生成され、表示パネルに設けられたソースドライバに一旦保持される。そして、所定の制御信号により、各画素に制御信号が輝度データとして書き込まれる。
【０００３】
近年、表示装置の大型化及び高精細化が進み、駆動信号の供給に際し、要求される伝送速度（伝送クロック周波数）がますます速くなっている。一般に、電気機器は、その動作時に不要輻射（ＥＭＩ）と呼ばれる電磁波や不要な電波を発生する。この電磁波や電波は、他の回路等に悪影響を及ぼすため、ＥＭＩ対策が非常に重要である。
【０００４】
上述のように、表示装置にあって、伝送クロック周波数が速くなると、一般にはＥＭＩ対策が難しくなる。そこで、表示パネルを複数の駆動領域に分割し、駆動信号の伝送クロック周波数を抑える技術が提案されている（特許文献１参照）。この技術では、表示パネルを例えば４分割することで、伝送クロック周波数を１／４にし、ＥＭＩ対策を容易にしている。そして、他にも、表示パネルの駆動領域を複数に分割して、伝送クロック周波数を低減した技術がいくつか提案されている（特許文献２及び３参照）。
【特許文献１】特開平８−１８１９５６号公報
【特許文献２】特開平５−２１０３５９号公報
【特許文献３】特開２００２−３１１９１３号公報
【発明の開示】
【発明が解決しようとする課題】
【０００５】
ところで、上記特許文献１〜３に開示の技術では、いずれも表示パネルを複数の駆動領域に分割して、駆動信号の伝送クロック周波数を低くし、ＥＭＩ対策を容易にしている。しかし、表示パネルを複数の駆動領域に分割する手法だけではＥＭＩ対策として限界がある。
【０００６】
つまり、表示パネルの解像度が上がれば、伝送クロック周波数を上げる必要がある。そこで、上述の技術以外のあらたな技術が求められていた。
【０００７】
本発明は、このような状況に鑑みてなされたものであり、上記問題点を解決することができる駆動制御方法、駆動制御装置及び表示装置を提供することを目的とする。
【課題を解決するための手段】
【０００８】
本発明の駆動制御方法は、複数の駆動領域に分割された表示パネルの前記駆動領域の画素に対して設定すべき駆動信号を、前記分割された駆動領域毎に異なる伝送クロック周波数で供給することを特徴とする。
また、前記駆動信号は、前記表示パネルに設けられ前記駆動素子に駆動信号を書き込むソースドライバに供給されるようにすることができる。
また、連続する二つの前記伝送クロック周波数により発生する不要輻射を合成したときの振幅が、合成前の不要輻射の振幅の最大値よりも小さくなるように、前記連続する二つの伝送クロック周波数が設定されるようにすることができる。
本発明の駆動制御装置は、表示パネルの画素に書き込む駆動信号を一時的に保持し、所定の制御信号により前記画素に駆動信号を書き込むソースドライバに対して前記駆動信号を出力する駆動制御装置であって、前記ソースドライバは、前記表示パネルが分割してなる複数の駆動領域毎にグループを構成しており、前記ソースドライバのグループ毎に、異なる伝送クロック周波数で前記駆動信号を出力する駆動信号発生部を有することを特徴とする。
また、前記駆動信号発生部は、連続する二つの前記伝送クロック周波数により発生する不要輻射を合成したときの振幅が、合成前の不要輻射の振幅の最大値よりも小さくなるように、前記伝送クロック周波数で駆動信号を出力するようにすることができる。
本発明の表示装置は、マトリックス状に複数の画素が配され、前記複数の画素が第１〜第Ｎ（Ｎ：自然数）の駆動領域に分割された表示パネルと、前記表示パネルの画素に駆動信号を書き込むソースドライバが、前記第１〜第Ｎの駆動領域毎対応した一群として構成される第１から第Ｎのドライバ群と、前記第１から第Ｎのドライバ群のそれぞれに、異なる伝送クロック周波数で前記駆動信号を供給する駆動制御手段とを有することを特徴とする。
【発明の効果】
【０００９】
本発明の駆動制御方法、駆動制御装置及び表示装置によれば、駆動領域の画素に対して設定すべき駆動信号を、分割された駆動領域毎に異なる伝送クロック周波数で供給することで、振幅のピーク値を低減できることから、ＥＭＩ対策を容易に行うことができる。
【発明を実施するための最良の形態】
【００１０】
次に、本発明を実施するための最良の形態（以下、単に「実施形態」という）を、図面を参照して具体的に説明する。まず概要を説明すると、本実施形態では、表示装置の表示パネルを複数の駆動領域に分割して画素の駆動信号が設定される。これによって、画素を駆動するための駆動信号をソースドライバに伝送する伝送速度（伝送クロック周波数）を小さくする。
【００１１】
さらに、その伝送クロック周波数を、分割された駆動領域毎に異なる周波数とする。これによって、表示装置で発生するＥＭＩの不要輻射のレベルを低減する。なお、以下の実施形態では、表示装置として液晶パネルを備える液晶（ＬＣＤ）表示装置について例示するが、これに限る趣旨ではなく、アクティブマトリックス型表示装置であればよく、他にＰＤＰ（プラズマディスプレイパネル）表示装置や、有機ＥＬ（エレクトロルミネッセンス）表示装置などがある。
【００１２】
図１は、本実施形態に係るＬＣＤ表示装置１０の機能ブロック図である。また、図２は後述の第１の駆動領域２１において画素２５がマトリックス状に配置された状態を模式的に示した図である。なお、第２の駆動領域２２も同様の構成であるので図示を省略する。
【００１３】
ＬＣＤ表示装置１０は、ＬＣＤパネル２０と、ＬＣＤパネル２０に駆動信号を輝度データとして書き込む第１の及び第２のソースドライバ群３１，３２と、第１の及び第２のソースドライバ群３１，３２に駆動信号を供給するＬＣＤコントローラ４０と、映像データを輝度データの形式に変換してＬＣＤコントローラ４０に供給する信号メイン処理部５０とを備える。
【００１４】
ここで映像信号の流れを簡単に説明する。まず、信号メイン処理部５０には、コンポジッド信号及びコンポーネント・ビデオ信号（Ｙ／Ｃｂ／Ｃｒ）などの各種映像信号が入力され、所定の変換処理が施されてたとえばＬＶＤＳ（低電圧差動信号）伝送等の伝送方式によりＬＣＤコントローラ４０に送られる。そしてＬＣＤコントローラ４０で駆動信号に変換され第１のソースドライバ群３１及び第２のソースドライバ群３２に一旦駆動信号が保持され、所定のタイミングでゲートドライバ３３から延びるゲート線３６に走査信号（オン信号）が印加されて、ＬＣＤパネル２０の画素２５に書き込まれる。
【００１５】
次に、ＬＣＤ表示装置１０の各構成要素について説明する。ＬＣＤパネル２０は、マトリックス状にそれぞれ配置されたスイッチ素子であるＴＦＴ（薄膜トランジスタ）及びそのＴＦＴにより階調制御されて所望の輝度で発光する表示素子とからなる複数の画素２５と、それら画素２５を所望の輝度で駆動するための駆動信号が印加されるソース線３５と、走査信号が印加されるゲート線３６とを有している。ソース線３５には垂直方向に同列に配された画素２５が共通して接続され、また、ゲート線３６には水平方向に同一行に共通して配された画素２５が接続される。
【００１６】
ＬＣＤパネル２０は、上側半分の第１の駆動領域２１と、下側半分の第２の駆動領域２２とに分割して各画素２５の駆動信号が供給されるようになっている。したがって、ソース線３５は、垂直方向に対し上下に２分割して、それぞれ第１のソースドライバ群３１及び第２のソースドライバ群３２から延出している。
【００１７】
そして、第１の駆動領域２１の画素２５に駆動信号を供給するためのドライバとして、第１のソースドライバ群３１がＬＣＤパネル２０の上側の部分に設けられている。また、第２の駆動領域２２の画素２５に駆動信号を供給するためのドライバとして、第２の駆動領域２２がＬＣＤパネル２０の下側の部分に設けられている。また、ゲート線３６に印加する走査信号をゲートコントローラ４６から取得して各ゲート線３６に印加するゲートドライバ３３が、ＬＣＤパネル２０の左側に設けられている。
【００１８】
第１のソースドライバ群３１は、第１の駆動領域２１に設けられたソース線３５の数だけソースドライバ３１ａを備えている。同様に、第２のソースドライバ群３２は、第２の駆動領域２２に設けられたソース線３５の数だけソースドライバ３２ａを備えている。
【００１９】
ＬＣＤコントローラ４０は、ＬＣＤパネル２０の駆動制御装置（駆動制御手段）として機能しており、信号処理回路４１と、第１及び第２のＬＣＤ駆動信号発生部４２，４４と、第１及び第２の基準クロック発生器４３，４５とを備える。
【００２０】
信号処理回路４１は、第１の駆動領域２１及び第２の駆動領域２２のそれぞれの画素２５に設定すべき信号を生成し、第１及び第２のＬＣＤ駆動信号発生部４２，４４へ送る。
【００２１】
そして、第１の基準クロック発生器４３が、第１のＬＣＤ駆動信号発生部４２から第１のソースドライバ群３１の各ソースドライバ３１ａに駆動信号を供給する第１の伝送クロック周波数を生成する。さらに、第１のＬＣＤ駆動信号発生部４２はその第１の伝送クロック周波数で駆動信号を第１のソースドライバ群３１の各ソースドライバ３１ａに伝送する。
【００２２】
同様にして、第２の基準クロック発生器４５が、第２のＬＣＤ駆動信号発生部４４から第２のソースドライバ群３２の各ソースドライバ３２ａに駆動信号を供給する第２の伝送クロック周波数を生成する。さらに、第２のＬＣＤ駆動信号発生部４４は、その第２の伝送クロック周波数で駆動信号を第２のソースドライバ群３２のソースドライバ３２ａに伝送する。
【００２３】
なお、第１及び第２のＬＣＤ駆動信号発生部４２，４４から第１及び第２のソースドライバ群３１，３２への駆動信号の伝送方式として、たとえばＰＰＤＳ（ポイント・ツー・ポイント差動信号；登録商標）伝送方式やＲＳＤＳ（Ｒｅｄｕｃｅｄ  Ｓｗｉｎｇ  Ｄｉｆｆｅｒｅｎｔｉａｌ  Ｓｉｇｎａｌｉｎｇ；登録商標）伝送方式がある。
【００２４】
ここで第１の伝送クロック周波数はたとえば１５３．０ＭＨｚであり、第２の伝送クロック周波数はたとえば１４８．５ＭＨｚである。このように、第１の駆動領域２１に駆動信号を供給する伝送クロック周波数と、第２の駆動領域２２に駆動信号を供給する伝送クロック周波数を異なる周波数としている。なお、ＬＣＤパネル２０の解像度が、１９２０×１０８０ピクセルである場合で、ＬＣＤパネル２０の駆動領域が２分割される構成の場合、一般的に、１５０ＭＨｚ周辺の周波数が伝送クロック周波数として利用される。
【００２５】
図３は、伝送クロック周波数と発生する不要輻射（スペクトル）の関係について、一般的な構成と、本実施形態における構成とについて比較するための図である。不要輻射は、上記の伝送クロック周波数を中心周波数として所定周波数幅のスペクトルとなって現れる。
【００２６】
ここでは、いずれの場合も、略４ＭＨｚの幅のスペクトルとなっている。図３（ａ）は、表示パネルを上下の二つの駆動領域に分割してそれぞれ同一の伝送クロック周波数としたときのスペクトルを示している。図３（ｂ）は、本実施形態に示す構成にて、上下の二つの駆動領域に駆動信号を伝送する二つの伝送クロック周波数を異なる周波数としたときのスペクトルを示している。
【００２７】
図３（ａ）では、二つの伝送クロック周波数が同一であるため、各伝送経路において発生する不要輻射が合成され、振幅が高くなる。一方、図３（ｂ）では、中心周波数（伝送クロック周波数）が、１５３．０ＭＨｚと１４８．５ＭＨｚである。このように、二つのスペクトルが重ならないように、中心周波数が４．５ＭＨｚ離れているため、不要輻射の振幅が合成されない。
【００２８】
なお、二つの中心周波数は、上述のように二つの不要輻射のスペクトルの振幅が重ならないように設定されるのが好ましいが、振幅が一部重なった場合であっても、重なったスペクトルを合成したときに、合成前のスペクトルの振幅を超えないような重なりがあってもよい。
【００２９】
一般に、ＥＭＩ対策において最も重要なことは、振幅のピーク値をどれだけ低減できるかにある。上述のように、伝送クロック周波数をわずかに変えることにより、それぞれの伝送経路で発生する不要輻射を、周波数方向に分離し、結果として、不要輻射のピーク値を低下させることが可能となる。上述のように不要輻射の影響は不要輻射のピーク値に依存するケースが多く、また、各種の規定がそれぞれの周波数でのピーク値で規定されている。
【００３０】
図４は、ある装置の不要輻射に関して、欧州規格（ＥＮ規格）を満足するか確認した試験結果の一例を示している。ここで確認した欧州規格は、テレビ受信装置に関する規格であり、３ｍ離れた地点での測定値が、３０〜２３０ＭＨｚＭＨｚの範囲では上限が４０ｄＢ、２３０〜１０００ＭＨｚの範囲では上限が４７ｄＢに設定されている。なお、不要輻射（電波）には偏波方向が水平方向と垂直方向との両方あるため、水平偏波（下側のグラフ）及び垂直偏波（上側のグラフ）の両方を測定している。ここで示す試験結果では、上記の規格を満足しているのが分かる。
【００３１】
図５に、伝送クロック周波数を１５３．０ＭＨｚと１４８．５ＭＨｚとに設定して、不要輻射を計測した結果を示す。左側のスペクトルの中心周波数が１４８．５ＭＨｚであり、右側の中心周波数が１５３．０ＭＨｚである。このように、不要輻射は二つのスペクトルに拡散できる。
【００３２】
上述のように、不要輻射全体のエネルギーそのものは低減しないが、周波数方向に不要輻射を拡散させることにより、不要輻射の悪影響を低減できる。したがって、仮に何ら対策を施さない状態で上記のような規格を超えている場合であっても、対策に必要となる電磁波シールド等の部材を低減できるので、コスト低減とともに設計の自由度が確保できる。特に、最近のＬＣＤ表示装置１０のようなフラットパネルディスプレイの分野では、薄型化のテンポが速まっており、電磁シールドのような部材を低減できるメリットは非常に大きい。
【００３３】
なお、本実施形態では、ＬＣＤパネル２０を上下に２分割したが、当然左右に分割する構成であってもよい。また、分割数として２分割に限らず、３分割以上のＮ領域に分割して、分割されたそれぞれの駆動領域に異なる伝送クロック周波数で駆動信号が伝送されるようにしてもよい。
【００３４】
また、伝送クロック周波数も、上述の例に限る趣旨ではなく、表示タイミングに間に合うタイミングで、１フレーム分のデータがソースドライバ３１ａ，３２ａに伝送できる伝送クロック周波数であればよい。
【００３５】
また、本実施形態では、駆動素子として表示素子を備える表示パネルについて説明したがこれに限る趣旨ではない。たとえば、プリンタヘッドのように、駆動素子である圧電素子（ピエゾ素子など）がドット状又はマトリックス状に形成され、それら駆動素子に設定する駆動信号の伝送が高速でなされる製品にも適用できる。
【図面の簡単な説明】
【００３６】
【図１】本実施形態に係る、ＬＣＤ表示装置の機能ブロック図である。
【図２】本実施形態に係る、第１の駆動領域において画素がマトリックス状に配置された状態を模式的に示した図である。
【図３】伝送クロック周波数と発生する不要輻射（スペクトル）の関係について、一般的な構成と、本実施形態における構成について比較するための図である。
【図４】ある装置の不要輻射に関して、欧州規格を満足するか確認した試験結果の一例を示している。
【図５】本実施形態に係る、ＬＣＤ表示装置において伝送クロック周波数を１５３．０ＭＨｚと１４８．５ＭＨｚとに設定して、不要輻射を計測した結果を示した図である。
【符号の説明】
【００３７】
１０  ＬＣＤ表示装置
２０  ＬＣＤパネル
２１  第１の駆動領域
２２  第２の駆動領域
２５  画素
３１  第１のソースドライバ群
３１ａ  ソースドライバ
３２  第２のソースドライバ群
３２ａ  ソースドライバ
３３  ゲートドライバ
３５  ソース線
３６  ゲート線
４０  ＬＣＤコントローラ
４１  信号処理回路
４２  第１のＬＣＤ駆動信号発生部
４３  第１の基準クロック発生器
４４  第２のＬＣＤ駆動信号発生部
４５  第２の基準クロック発生器
４６  ゲートコントローラ
５０  信号メイン処理部
【図１】
2009115936.tif 000003
【図２】
2009115936.tif 000004
【図３】
2009115936.tif 000005
【図４】
2009115936.tif 000006
【図５】
2009115936.tif 000007